(57)【特許請求の範囲】
【請求項１】
取付ボルトで固定される器具本体構成部品と、
前記器具本体構成部品に保持されるランプと、
前記取付ボルトの近傍に前記器具本体構成部品の長手方向に沿って取り付けられる基部と、前記基部に接続されて前記器具本体構成部品内に配策される電線を保持する複数の抜け止め部と、前記抜け止め部の間に設けられる前記電線を引き出し可能な電線引き出し部と、を有する電線処理部材と、
を備え、
前記複数の抜け止め部の各々は、断面が略Ｃ字形状であり、下方が開口されて前記基部の長手方向に沿って間隔を置いて配置され、前記略Ｃ字形状の、前記開口を形成する一対の先端部分が、前記電線を前記抜け止め部に挿入させる電線挿入部となり、かつ、前記略Ｃ字形状の内側は、前記電線を保持する空間である電線保持部となり、
前記電線処理部材の端部に配置される前記抜け止め部における前記電線挿入部の開口寸法は、前記電線処理部材の端部以外の位置に配置される前記抜け止め部における前記電線挿入部の開口寸法よりも狭く、
前記電線引き出し部は、前記電線処理部材の端部に配置される前記抜け止め部の前記電線保持部に挿入された前記電線を、前記基部の側部の方向に引き出して、前記基部の長手方向の位置ずれが生じないように掛止可能である照明器具。
【請求項２】
請求項１に記載の照明器具において、
前記電線処理部材は、２つの、前記電線処理部材の端部以外の位置に配置される抜け止め部の間に、前記基部の両側部から立設され、互いに対向する一対の壁面を有する照明器具。
【請求項３】
請求項２に記載の照明器具において、
前記一対の壁面の各々と各壁面に隣接する前記抜け止め部との間隔寸法は、前記照明器具の取付時に使用される取付部品の外形寸法よりも小さく設定されている照明器具。
【発明の詳細な説明】
【技術分野】
【０００１】
本発明は、例えば住宅や工場等の天井面に取り付けられる照明器具に関し、特に器具本体内に配策される電線を保持可能な照明器具に関する。
【背景技術】
【０００２】
従来より筒状をなし周壁の軸方向にスリットを有して内部に電線を収容するようにした電線処理部材を適用したものがある(例えば、特許文献１参照)。
【０００３】
また、従来より角棒や丸棒を円形や多角形に加工して電線を支持する支持部材を連結用部材で連結した電線処理部材を適用したものがある(例えば、特許文献２参照)。
【先行技術文献】
【特許文献】
【０００４】
【特許文献１】特開２００１−１３６６３３号公報（図１、請求項１）
【特許文献２】特開２００２−２６０４３３号公報（図１、請求項１）
【発明の概要】
【発明が解決しようとする課題】
【０００５】
しかし、上記特許文献１および上記特許文献２では、電線の軸方向への動きを規制することができない。
従って、上記特許文献１および上記特許文献２では、電線が軸方向へずれることにより、電線がストレスを受けて障害を生ずる虞がある。
また、上記特許文献１および上記特許文献２では、電線の挿入作業を簡単に行えるとは言い難い。
従って、上記特許文献１および上記特許文献２では、工数の増大をまねく虞がある。
【０００６】
本発明は、前述した課題を解決するためになされたものであり、その目的は、電線の確実な保持を行えるとともに作業性の向上を図ることができる照明器具を提供することにある。
【課題を解決するための手段】
【０００７】
本発明に係る照明器具は、取付ボルトで固定される器具本体構成部品と、前記器具本体構成部品に保持されるランプと、前記取付ボルトの近傍に前記器具本体構成部品の長手方向に沿って取り付けられる基部と、前記基部に接続されて前記器具本体構成部品内に配策される電線を保持する複数の抜け止め部と、前記抜け止め部の間に設けられる前記電線を引き出し可能な電線引き出し部と、を有する電線処理部材と、を備え、前記複数の抜け止め部の各々は、断面が略Ｃ字形状であり、下方が開口されて前記基部の長手方向に沿って間隔を置いて配置され、前記略Ｃ字形状の、前記開口を形成する一対の先端部分が、前記電線を前記抜け止め部に挿入させる電線挿入部となり、かつ、前記略Ｃ字形状の内側は、前記電線を保持する空間である電線保持部となり、前記電線処理部材の端部に配置される前記抜け止め部における前記電線挿入部の開口寸法は、前記電線処理部材の端部以外の位置に配置される前記抜け止め部における前記電線挿入部の開口寸法よりも狭く、前記電線引き出し部は、前記電線処理部材の端部に配置される前記抜け止め部の前記電線保持部に挿入された前記電線を、前記基部の側部の方向に引き出して、前記基部の長手方向の位置ずれが生じないように掛止可能である。
【０００８】
本発明に係る照明器具の電線処理部材は、２つの、前記電線処理部材の端部以外の位置に配置される抜け止め部の間に、前記基部の両側部から立設され、互いに対向する一対の壁面を有する。
【０００９】
本発明に係る照明器具の電線処理部材において、一対の壁面の各々と各壁面に隣接する前記抜け止め部との間隔寸法は、前記照明器具の取付時に使用される取付部品の外形寸法よりも小さく設定されている。
【発明の効果】
【００１０】
本発明の照明器具によれば、電線の確実な保持を行えるとともに作業性の向上を図ることができるという効果を奏する。
【図面の簡単な説明】
【００１１】
【図１】本発明に係る一実施形態の照明器具の分解斜視図
【図２】図１の照明器具に適用される電線処理部材の正面図
【図３】図２の電線処理部材の側面図
【図４】図２の電線処理部材の底面図
【図５】図２の電線処理部材の器具本体構成部品との取付関係を説明する斜め下方から視た外観斜視図
【図６】図２の電線処理部材の一使用例を説明する斜め下方から視た外観斜視図
【図７】図２の電線処理部材の他の使用例を説明する斜め下方から視た外観斜視図
【発明を実施するための形態】
【００１２】
以下、本発明の一実施形態に係る照明器具について図面を参照して説明する。
図１に示すように、本発明の―実施形態である照明器具１０は、反射板１１と、反射板１１の内面に長手方向に配置される一対の直管状の蛍光ランプ１２と、反射板１１の長手方向に配置された本体部材１３と、本体部材１３に取付けられる一対の反射板支持部材１４と、本体部材１３に取り付けられた二対のソケット１５と、本体部材１３に取り付けられた二対の電線処理部材１６とを備えて、不図示の天井面に取り付けられる。
【００１３】
反射板１１は、器具本体構成部品の一部を構成しており、比較的薄い金属製板部材を用いて成形されている。反射板１１は、天板１７と、対向配置された一対の短寸側板１８と、同じく対向配置された一対の長寸側板１９とを有して下方が開放されている。天板１７は、反射板支持部材１４に対応する位置に、二対の取付穴２０を有し、短寸側板１８寄りに二対のソケット挿入角穴２１を有する。
【００１４】
本体部材１３は、器具本体構成部品の他の一部を構成し、反射板１１と同等の金属製板部材を用いて成形されている。本体部材１３は、天板２２と、対向配置された一対の側板２３と、から垂直断面視コ宇形状に形成されている。本体部材１３は、天板２２の中央部下面に電源端子台２４を取り付けており、電源端子台２４の両側に一対ずつの取付ボルト穴２５を有する。本体部材１３は、電源端子台２４の近傍に引込穴２６を有し、取付ボルト穴２５の軸方向の外側に取付穴２７を有する。
【００１５】
本体部材１３は、天板２２における取付ボルト穴２５の一つの近傍に、一対のツメ取付穴（図５参照）２８と、一対のツメ取付穴２８の中央に配置された突起係合穴（図５参照）２９とを本体部材１３の軸方向に並べてそれぞれ有する。本体部材１３は、その両端部にソケット支持部材３０をそれぞれ取り付けており、ソケット支持部材３０のそれぞれにソケット１５を２個ずつ取り付けている。ソケット１５は、ソケット支持部材３０の下方に向けて突出配置されており、電線（図６参照）３１を通じて電源端子台２４に電気的に接続される。
【００１６】
本体部材１３には、その両端部寄りに一対の反射板支持部材１４が取り付けられる。反射板支持部材１４は、金属製や樹脂製であって略コ字形状の外形を有しており、水平に配置される基部３２の両端部に足部３３をそれぞれ接続している。反射板支持部材１４は、その基部３２の側部に、反射板１１の天板１７に有する取付穴２０に対応した取付穴３４をそれぞれ有し、その基部３２の中央部に、本体部材１３の取付穴２７に対応した取付穴３５をそれぞれ有する。
【００１７】
次に、電線処理部材１６の構造について詳細に説明する。図２、図３、図４に示すように、電線処理部材１６は、可撓性を有する例えば本体部材１３と同色や透明（スケルトン）な樹脂材料を用いて本体部材１３の軸方向に長尺に形成されている。電線処理部材１６は、基部３６と、複数の抜け止め部３７と、複数の電線引き出し部３８と、複数の壁面３９とを有する。
【００１８】
基部３６は平板形状に形成されており、本体部材１３の長手方向に沿って取り付けられる。抜け止め部３７は略Ｃ字形状に形成されて下方を開口させて基部３６の軸方向に沿って間隔を置いて接続されており、内側に電線保持部４０を形成している。複数の抜け止め部３７は開口部分に電線挿入部４１を有する。ここで、基部３６の端部以外に配置される抜け止め部３７の電線挿入部４１は開口寸法Ｌ１に設定されている。これとは異なり、基部３６の端部に配置される抜け止め部３７の電線挿入部４１は開口寸法Ｌ１よりも狭い開口寸法Ｌ２に設定されている。これは、複数の抜け止め部３７の電線挿入部４１から電線３１を電線保持部４０内に押圧挿入させる際に、基部３６の端部側の抜け止め部３７では電線３１の押圧挿入をきつくして電線３１が確実に抜け出ないようにし、基部３６の端部以外の抜け止め部３７では電線３１の押圧挿入を緩くして挿入しやすいようにしているからである。
【００１９】
電線処理部材１６は、基部３６の端部寄りの２個の抜け止め部３７の間および壁面３９との間に電線３１の外径寸法よりもわずかに大きい開口状をなす電線引き出し部３８が形成されている。電線引き出し部３８は、基部３６の端部に配置されている抜け止め部３７の電線保持部４０に挿入された電線３１を基部３６の側部へほぼ直角に折曲させて引き出すことができる。これにより、軸方向に位置ずれしないように電線３１を支持することができる。
【００２０】
電線処理部材１６は、複数の抜け止め部３７の間に壁面３９を対向して有する。壁面３９は電線保持部４０内に収容された電線３１の飛び出しを防止する機能を有する。また、壁面３９は抜け止め部３７に対して予め定められた間隔寸法に設定されており、この間隔寸法は複数の抜け止め部３７同士の間隔寸法と同等である。間隔寸法は施工時に使用されるナットやワッシャ等の取付部品の外形寸法よりも小さいために、電線保持部４０内にそれら部品が入り込まないようにして作業に支障がないようしている。電線処理部材１６は、基部３６の天面に、本体部材１３の取付ボルト穴２５の側部に形成されている突起係合穴（図５参照）２９に係合される係合突起４２を上方に向けて突出して有し、基部３６の軸方向に沿った係合突起４２の両側に、本体部材１３の取付ボルト穴２５の側部に形成されているツメ取付穴（図５参照）２８に係止される一対のツメ４３を有する。
【００２１】
次に、電線処理部材１６を含めた照明器具１０の組立手順について説明する。
まず、反射板支持部材１４の取付穴３４と本体部材１３の取付穴２７とに不図示のネジを挿通して両者をネジ止めする。次に、ソケット１５を反射板１１の天板１７のソケット挿入角穴２１に挿通させながら、反射板支持部材１４の取付穴３３と反射板１１の天板１７に有する取付穴２０とに不図示のネジを挿通して両者をネジ止めする。そして、反射板１１の下面に突出している二対のソケット１５に蛍光ランプ１２をそれぞれ装着する。
【００２２】
ここで、図５に示すように、反射板支持部材１４と本体部材１３とをネジ止めする前に電線処理部材１６の取り付けが行われる。電線処理部材１６は、基部３６の係合突起４２を本体部材１３の突起係合穴２９に係合させながら、基部３６のツメ４３を本体部材１３のツメ取付穴２８にそれぞれ嵌入させる。このとき、ツメ４３は、ツメ取付穴２８にそれぞれ嵌入される際に弾性変形され、ツメ取付穴２８に嵌入された後に弾性復元される。これにより、電線処理部材１６は、突起係合穴２９に係合されている係合突起４２により基部３６の軸方向外方である係止方向への変位を規制されることにより抜け止めされて本体部材１３に取り付けられることになる。
【００２３】
そして、図６に示すように、電線処理部材１６の一使用例において、電線３１は、電線処理部材１６の基部３６の端部に配置されている抜け止め部３７の電線挿入部４１から電線保持部４０に押圧挿入された後に、電線引き出し部３８を介して基部３６の側部へほぼ直角に折曲されて引き出される。これにより、電線３１は、電線引き出し部３８において掛止されることにより軸方向に位置ずれしないように電線処理部材１６に支持されることになる。
【００２４】
そして、電線３１の配策が終了された後に、本体部材１３の取付ボルト穴２５を天井面の不図示の取付ボルトに挿入させ、本体部材１３の床面側において取付ボルトにワッシャを介してナットがネジ込まれる。このとき、本体部材１３の取付ボルト穴２５に挿入された取付ボルトにワッシャを介してナットがネジ込まれた際に、取付ボルト穴２５の近傍に配策されている電線３１は電線処理部材１６に保持されており、電線処理部材１６により電線３１が取付ボルトやワッシャやナットに接触することがない。
【００２５】
一方、図７に示すように、電線処理部材１６の他の使用例において、電線３１は、電線処理部材１６の基部３６の一端部に配置されている抜け止め部３７の電線挿入部４１から電線保持部４０に押圧挿入されてから、基部３６の一端部側の電線引き出し部３８を介して基部３６の側部へほぼ直角に折曲されて引き出される。そして、電線引き出し部３８を介して基部３６の側部へ引き出された電線３１は、ほぼ直角に折曲されてから壁面３９の外側を基部３６の軸方向に引き回された後に、基部３６の他端部側の電線引き出し部３８においてほぼ直角に折曲されて電線保持部４０内に引き込まれる。そして、電線３１は、基部３６の他端部の抜け止め部３７の電線挿入部４１から電線保持部４０に押圧挿入されてからほぼ直角に折曲されて軸方向に引き出される。これにより、電線３１は、２個の電線引き出し部３８において掛止されることにより軸方向に位置ずれしないように電線処理部材１６に支持されることになる。
【００２６】
従って、この一実施形態の照明器具１０においては、電線処理部材１６により、電線３１が電線処理部材１６の基部３６の端部に配置されている抜け止め部３７の電線挿入部４１から電線保持部４０に押圧挿入された後に、電線引き出し部３８を介して基部３６の側部へほぼ直角に折曲されて引き出される。
これにより、この一実施形態の照明器具１０においては、電線処理部材１６により、電線引き出し部３８において電線３１が掛止されることにより電線３１を軸方向に位置ずれしないように確実に保持することができる。
【００２７】
また、この一実施形態の照明器具１０においては、複数の抜け止め部３７の電線挿入部４１から電線３１を電線保持部４０内に押圧挿入させる際に、基部３６の端部側の抜け止め部３７では電線３１の押圧挿入をきつくして電線３１が確実に抜け出ないようにし、基部３６の端部以外の抜け止め部３７では電線３１の押圧挿入を緩くして挿入しやすいようにしている。
これにより、この一実施形態の照明器具１０においては、電線３１の挿入作業をやりやすくして作業性の向上を図ることができる。
【００２８】
そして、この一実施形態の照明器具１０においては、電線処理部材１６の複数の抜け止め部３７の間に壁面３９を有し、壁面３９が抜け止め部３７に対して予め定められた間隔寸法に設定されている。
これにより、この一実施形態の照明器具１０においては、壁面３９により、電線保持部４０内に収容された電線３１の飛び出しを防止することができる。また、この一実施形態の照明器具１０においては、施工時に、壁面３９と抜け止め部３７との間から電線保持部４０内にナットやワッシャ等の取付部品が入り込まないようにして作業に支障を生ずることがない。
【００２９】
なお、一実施形態で使用した反射板１１、蛍光ランプ１２、本体部材１３、反射板支持部材１４等は例示したものに限定するものではなく適宜変更が可能である。
【符号の説明】
【００３０】
１０  照明器具
１１  反射板（器具本体構成部品）
１２  蛍光ランプ
１３  本体部材（器具本体構成部品）
１６  電線処理部材
３１  電線
３６  基部
３７  抜け止め部
３８  電線引き出し部
３９  壁面
【図１】
0005429996.tif 000002
【図２】
0005429996.tif 000003
【図３】
0005429996.tif 000004
【図４】
0005429996.tif 000005
【図５】
0005429996.tif 000006
【図６】
0005429996.tif 000007
【図７】
0005429996.tif 000008